(57)【特許請求の範囲】
【請求項１】
発呼者の端末の発呼に応答して被呼者の第１の端末への電話回線の極性を反転させた後、情報受信端末起動信号を前記第１の端末に送信し、前記情報受信端末起動信号を受信したことを通知する一次応答信号を前記第１の端末から受信すると発呼者の端末の番号情報を前記第１の端末に送信し、前記情報を受信したことを通知する受信完了信号を第１の端末から受信すると通話の呼出信号を前記第１の端末に送信する電話局が接続された電話回線と、被呼者の第２の端末との間に接続される電話回線接続器であって、
前記電話回線及び前記第１の端末が接続される第１の接続部と、前記第２の端末と接続する第２の接続部と、前記第１の接続部と前記第２の接続部間の接続を断続するスイッチと、前記極性反転を検出する開始検出手段と、前記受信完了信号あるいは前記呼出信号を検出する終了検出手段と、前記開始検出手段の検出信号を受信すると前記スイッチを開放させ前記終了検出手段の検出信号を受信すると前記スイッチを閉結させる制御回路を備えたことを特徴とする電話回線接続器。
【請求項２】
発呼者の端末の発呼に応答して情報受信端末起動音信号を被呼者の第１の端末に送信し、発呼者の端末の番号情報を前記第１の端末に送信し、着信表示音信号を前記第１の端末に送信する電話局が接続された電話回線と、被呼者の第２の端末との間に接続される電話回線接続器であって、
前記電話回線及び前記第１の端末が接続される第１の接続部と、前記第２の端末と接続する第２の接続部と、前記第１の接続部と前記第２の接続部間の接続を断続するスイッチと、前記情報受信端末起動音信号を検出する開始検出手段と、前記開始検出手段の出力に基づき前記スイッチを開放させ所定時間後前記スイッチを閉結させる制御回路を備えたことを特徴とする電話回線接続器。
【請求項３】
発呼者の端末の発呼に応答して情報受信端末起動音信号を被呼者の第１の端末に送信し、発呼者の端末の番号情報を前記第１の端末に送信し、着信表示音信号を前記第１の端末に送信する電話局が接続された電話回線と、被呼者の第２の端末との間に接続される電話回線接続器であって、
前記電話回線及び前記第１の端末が接続される第１の接続部と、前記第２の端末と接続する第２の接続部と、前記第１の接続部と前記第２の接続部間の接続を断続するスイッチと、前記情報受信端末起動音信号を検出する開始検出手段と、前記番号情報の受信の終了あるいは前記着信表示音信号の検出を出力する終了検出手段と、前記開始検出手段の出力に基づき前記スイッチを開放させ前記終了検出手段の出力に基づき前記スイッチを閉結させる制御回路を備えたことを特徴とする電話回線接続器。
【発明の詳細な説明】
【０００１】
【発明の属する技術分野】
通話の呼出信号送出前に被呼者の第１の端末にサービス情報を送出する電話局と被呼者の第２の端末との間に接続される電話回線接続器に関する。
【０００２】
【従来の技術】
現在、発呼時に、発呼者の電話機（情報受信端末）の電話番号を電話局（加入者線交換機）が被呼者の電話機に知らせる発信電話番号表示サービス（通信前情報通知サービス）が横浜，名古屋と福岡で試験的に行われている。これは、このサービスに加入した回線に接続され且つ電話番号の受信機能を備えた被呼者の電話機に対して可能なサービスであって、呼出信号（ＩＲ）を送出する前に、電話番号送出処理を追加するものである。
【０００３】
この電話番号送出処理を図２のタイムチャートに基づき説明する。発呼者の電話機の発呼により、電話局は２本の電話回線Ｌ１とＬ２の極性を反転させる。そして、電話局は情報受信端末起動信号（ＣＡＲ）（図３参照）を被呼者の電話機に送出する。このＣＡＲは被呼者を呼び出すための信号ではないが、このままでいると電話機が呼び出し音を鳴らすこと（鳴動）になる。従って、電話機は鳴動を停止させた後、オフフックする。このオフフック（一次応答信号）を電話局が検出すると、被呼者の電話機に発呼者の電話機の電話番号の情報信号（モデム信号）を送出する。
【０００４】
被呼者の電話機がモデム信号を受信すると所定時間内にオンフックする。このオフフック（受信完了信号）を電話局が検出すると、電話番号送出処理が終了したものとして、通常の呼出信号（ＩＲ）（図４参照）を送出する。
【０００５】
このようにして、鳴動する前に発呼者の電話番号を被呼者に報知させることができる。
【０００６】
また、キャッチホンサ−ビスにおいても、発呼者の電話番号を表示することが検討されている。この場合は、通話中にモデム信号が被呼者の電話機に送出されるが、このサービスに対応した電話機はモデム信号が被呼者に聞こえないようにミュートをかける。
【０００７】
【発明が解決しようとする課題】
然し乍ら、電話番号の受信機能がない非対応電話機を所持する発呼者が、電話番号の受信機能がある対応電話機を購入した場合には、対応電話機と非対応電話機が同じ回線に接続（ブランチ）される可能性がある。このような場合の着信は、非対応電話機がＣＡＲを受信すると鳴動することになり、受話器を持ち上げてもモデム信号を受信して通話をすることはできないという問題がある。
【０００８】
また、対応電話機のＣＡＲの検出方法やＣＡＲ受信後のオフフックのタイミングが統一されていない。このために、複数の対応電話機を同じ回線に接続した場合は、先に前記オフフックを行った電話機しかモデム信号（発呼者番号）を受信することができないが、使用者はどの電話機が発呼者番号を受信することができるかわからないという問題がある。
【０００９】
そして、キャッチホンサ−ビスの場合、非対応電話機では、モデム信号が被呼者に聞こえるという問題がある。
【００１０】
【課題を解決するための手段】
本発明は、発呼者の端末の発呼に応答して被呼者の第１の端末への電話回線の極性を反転させた後、情報受信端末起動信号を前記第１の端末に送信し、前記情報受信端末起動信号を受信したことを通知する一次応答信号を前記第１の端末から受信すると発呼者の端末の番号情報を前記第１の端末に送信し、前記情報を受信したことを通知する受信完了信号を第１の端末から受信すると通話の呼出信号を前記第１の端末に送信する電話局が接続された電話回線と、被呼者の第２の端末との間に接続される電話回線接続器であって、前記電話回線及び前記第１の端末が接続される第１の接続部と、前記第２の端末と接続する第２の接続部と、前記第１の接続部と前記第２の接続部間の接続を断続するスイッチと、前記極性反転を検出する開始検出手段と、前記受信完了信号あるいは前記呼出信号を検出する終了検出手段と、前記開始検出手段の検出信号を受信すると前記スイッチを開放させ前記終了検出手段の検出信号を受信すると前記スイッチを閉結させる制御回路を備えたことを特徴とする。
【００１１】
また、発呼者の端末の発呼に応答して情報受信端末起動音信号を被呼者の第１の端末に送信し、発呼者の端末の番号情報を前記第１の端末に送信し、着信表示音信号を前記第１の端末に送信する電話局が接続された電話回線と、被呼者の第２の端末との間に接続される電話回線接続器であって、前記電話回線及び前記第１の端末が接続される第１の接続部と、前記第２の端末と接続する第２の接続部と、前記第１の接続部と前記第２の接続部間の接続を断続するスイッチと、前記情報受信端末起動音信号を検出する開始検出手段と、前記開始検出手段の出力に基づき前記スイッチを開放させ所定時間後前記スイッチを閉結させる制御回路を備えたことを特徴とする。
【００１２】
また、発呼者の端末の発呼に応答して情報受信端末起動音信号を被呼者の第１の端末に送信し、発呼者の端末の番号情報を前記第１の端末に送信し、着信表示音信号を前記第１の端末に送信する電話局が接続された電話回線と、被呼者の第２の端末との間に接続される電話回線接続器であって、前記電話回線及び前記第１の端末が接続される第１の接続部と、前記第２の端末と接続する第２の接続部と、前記第１の接続部と前記第２の接続部間の接続を断続するスイッチと、前記情報受信端末起動音信号を検出する開始検出手段と、前記番号情報の受信の終了あるいは前記着信表示音信号の検出を出力する終了検出手段と、前記開始検出手段の出力に基づき前記スイッチを開放させ前記終了検出手段の出力に基づき前記スイッチを閉結させる制御回路を備えたことを特徴とする
【００１５】
【発明の実施の形態】
本発明の実施例の形態を図に基づき説明する。図１は、本発明の第１の実施例の要部を示すブロック図である。
【００１６】
（１）は電話回線接続器である。電話回線接続器（１）は第１〜第３の３つの端子（２）〜（４），スイッチ（５），極性反転手段（６），受信完了信号検出手段（７）と制御回路（８）を有する。
【００１７】
第１の端子（２）は電話局（９）の電話回線（１０）と接続される。この電話回線（１０）は発信電話番号表示サービスに加入しており、電話局（９）から被呼者の電話番号が送信される。
【００１８】
第２の端子（３）は第１の対応電話機（１１）と接続される。第３の端子（４）は第２の対応電話機（１２）あるいは非対応電話機（１３）と接続される。ここで、第１及び第２の対応電話機（１１）（１２）は発信電話番号表示サービスに対応した被呼者番号の受信機能を備えている。一方、非対応電話機（１３）は前記被呼者番号の受信機能を搭載していない。
【００１９】
ここで、発信電話番号表示サービスの動作を説明する。図２はこの動作を示すタイムチャートである。
【００２０】
発呼者の電話機の発呼により、電話局（９）は２本の電話回線（１０）Ｌ１とＬ２の極性を反転させる。そして、電話局は発信電話番号表示サービスの開始を示す情報受信端末起動信号（ＣＡＲ）を被呼者の電話機に送出する。このＣＡＲは、図３に示す如く、０．５秒のＨｉｇｈと０．５秒のＬｏｗからなるパルス信号である。これに対し、被呼者を呼び出すための通常の呼出信号（ＩＲ）は、図４に示す如く、１秒のＨｉｇｈと２秒のＬｏｗからなるパルス信号である。
【００２１】
従って、ＣＡＲはＩＲの信号波形と異なるが、ＣＡＲを受信した電話機がこのままでいると呼び出し音を鳴らすこと（鳴動）になる。このために、対応電話機（１１）（１２）は鳴動を停止させた後、オフフックする。
【００２２】
このＣＡＲによるオフフック（一次応答信号）を電話局が検出すると、被呼者の電話機に発呼者の電話機の電話番号の情報信号（モデム信号）を送出する。尚、発呼者が電話番号の送出を拒否する所定操作（例えば、１８４（「いやよ」の意味）の入力）をした場合は、モデム信号は電話番号を送出しない旨の信号となる。そして、被呼者の電話機がモデム信号を受信すると所定時間（７秒）以内にオンフックする。このオンフック（受信完了信号）を電話局が検出すると、電話番号送出処理が終了したものとして、ＩＲを送出する。電話機がＩＲを受信すると鳴動して被呼者を呼び出すことになる。かくして、鳴動する前に発呼者の電話番号を被呼者に報知させることができる。
【００２３】
第１の端子（２）と第２の端子（３）は直結される。即ち、電話局（９）と第１の対応電話機（１１）は直結されている。第１の端子（２）と第３の端子（４）はスイッチ（５）を介して接続され、スイッチ（５）の開閉は制御回路（８）により制御される。即ち、電話局（９）と第２の対応電話機（１２）あるいは非対応電話機（１３）の接続の開閉は制御回路（８）により制御される。
【００２４】
極性反転検出手段（６）は第１の端子（２）に接続され、電話回線（１０）の極性が反転したか否かを検出し、この信号を制御回路（８）に出力する。
【００２５】
また、受信完了信号検出手段（７）は第１の端子（２）に接続され、第１の対応電話機（１１）からの受信完了信号の有無を検出し、この信号を制御回路（８）に出力する。この受信完了信号検出手段（７）の検出方法は、例えば、発光ダイオードとフォトトランジスタを使用して、所定以上の電流が第１の端子（２）と第２の端子（３）間の接続部に流れたか否かを調べることにより、オンフックを検出する。
【００２６】
制御回路（８）は極性反転検出手段（６）と受信完了信号検出手段（７）の出力に基づきスイッチ（５）の開閉を制御する。図５はこの制御の動作を示すフローチャートである。
【００２７】
制御回路（８）は、待機時はスイッチ（５）を閉じさせて、第２の対応電話機（１２）あるいは非対応電話機（１３）を電話回線（１０）に接続させる（Ｓ１）。従って、待機時は、電話回線接続器（１）に接続された全ての電話機から発呼することが可能である。
【００２８】
そこで、制御回路（８）が極性反転検出手段（６）より極性の反転を受信すると（Ｓ２）、制御回路（８）はスイッチ（５）を開放させて、第２の対応電話機（１２）あるいは非対応電話機（１３）を電話回線（１０）から切断させる（Ｓ３）。
【００２９】
そして、前述の発信電話番号表示サービスの動作のとおり、電話局（９）のＣＡＲ発信、第１の対応電話機（１１）の一次応答信号、電話局（９）のモデム信号発信、第１の対応電話機（１１）の受信完了信号の発信が行われる。
【００３０】
制御回路（８）はこの受信完了信号の検出を受信完了信号検出手段（７）より受信すると（Ｓ４）、第２の対応電話機（１２）あるいは非対応電話機（１３）を電話回線（１０）に接続させる（Ｓ５）。
【００３１】
そして、電話回線接続器（１）に接続された全ての電話機が、電話局（８）からのＩＲを鳴動することができ、発呼に応じることができる。
【００３２】
このように第２の端子（４）に接続された電話機のＣＡＲ信号の受信を防止することにより、第２の端子（４）に接続された電話機が第１の対応電話機（１１）と異なる発信電話番号表示サービスの応答タイミングであった場合の問題を防止することができる。また、第２の端子（４）に接続された電話機が非対応電話機（１３）であった場合、ＣＡＲ受信で鳴動したり、第１の対応電話機（１１）より先にオンフックして第１の対応電話機（１１）が発呼者番号を表示できなくなることを防止することができる。
【００３３】
尚、発信電話番号表示サービス開始（ＣＡＲ）直前の極性反転を検出して、スイッチを開放しているために、確実にＣＡＲによる非対応電話機（１３）の鳴動を停止させることができる。また、発信電話番号表示サービス最後の信号を検出して、スイッチを閉結しているために、確実に次の動作であるＩＲを受信させることができる。
【００３４】
上述の実施例はスイッチ（５）を開放する必要がある期間である発信電話番号表示サービスの期間を検出する方法として、開放の開始を極性反転の検出により行い、開放の終了を受信完了信号の検出により行った。しかし、この開放の開始はＣＡＲの検出で行ってもよく、また、開放の終了はＩＲの検出で行ってもよい。図６，図７は開放の終了を受信完了信号の検出により行い、且つ、開放の開始をＣＡＲの検出で行った第２の実施例を示すブロック図とフローチャートである。
【００３５】
第１，２の実施例は待機時の着信における発信電話番号表示サービスの例であるが、次に、キャッチホンサ−ビスにおける発信電話番号表示サービスの例である第３の実施例を説明する。
【００３６】
図８はキャッチホンサ−ビスの対応電話機に対する電話番号送出処理を示すタイムチャートである。通話中に割り込み者からの発呼があると、電話局は被呼者の電話機に着信表示音信号を送出する。この着信表示音信号は表示可能な着信の情報があることを使用者に知らせる音を発生させるための信号であり、この場合は、割り込み者の電話番号を表示することだけでなく、キャッチホンがあったことを報知することにもなる。この着信表示音信号は、被呼者がキャッチホンに応答する操作をするか、割り込みの発呼者があきらめてオフフックするまで間欠的に送出される。
【００３７】
最初の着信表示音信号の送出から所定時間後、電話局は被呼者の電話機に情報受信端末起動音信号（ＣＡＴ）を送出する。このＣＡＴは割り込み者の電話番号情報を送出することを知らせるＤＴＭＦ信号である。そして、ＣＡＴの送出から所定時間後、電話局は被呼者の電話機に割り込み者の電話番号情報であるモデム信号を所定時間送出する。被呼者の電話機はＣＡＴを受信すると、受話部（図示せぬ）にミュートをかけて、モデム信号の音が被呼者に聞こえないようにする。また、電話局は被呼者と通話中の相手の電話機を、ＣＡＴとモデム信号送出期間中に通話回線を一次的に遮断して、これらの音が通話中の相手に聞こえないようにする。
【００３８】
モデム信号の送出から所定時間後、電話局は着信表示音信号を再び送出する。尚、モデム信号の送出は、最初の着信表示音信号送出のときの１回きりである。
【００３９】
図９は第３の実施例の要部の構成を示すブロック図であり、図１に対応する構成には図１と同一番号を付し、説明を省略する。尚、回線（１０）はキャッチホン通話ができるものとする。
【００４０】
第２の端子（３）は対応電話機（３１）と接続され、第３の端子（４）は非対応電話機（３２）と接続される。ここで、対応電話機（３１）はＣＡＴの検出によりミュートをかけてモデム信号が被呼者に聞こえないようにするが、非対応電話機（３２）はＣＡＴを検出できないのでミュートをかけることができない。
【００４１】
（３３）はＣＡＴ検出手段であり、ＣＡＴの受信を検出し制御回路（８）に出力する。（３４）は回線保持回路であり、回線の直線ル−プを形成して、回線を保持する。（３５）はタイマーであり、制御回路（８）の動作に必要な時間をカウントする。
【００４２】
図１０は第３の実施例の制御回路（８）の動作を示すフローチャートである。初期状態として、制御回路（８）は、ＣＡＴを検出するまではスイッチ（５）を閉じさせて、非対応電話機（３２）を電話回線（１０）に接続させる（Ｓ２１）。従って、対応電話機（３１）と非対応電話機（３２）はいずれも外線と通話を行うことができる状態である。
【００４３】
ここで、対応電話機（３１）と非対応電話機（３２）のいずれかが外線と通話中となり、且つ、割り込みの発呼が発生する。すると、電話局からＣＡＴが送信され、制御回路（８）はＣＡＴ検出手段（３３）によりこれを検出する（Ｓ２２）。そして、制御回路（８）は回線保持回路（３４）により回線を保持した後（Ｓ２３）、スイッチ（５）を開放させて非対応電話機（３２）を電話回線（１０）から切断させる（Ｓ２４）。
【００４４】
これにより、ＣＡＴ検出手段（３３）を具備しない非対応電話機（３２）がミュートをかけられなくても、使用者がモデム信号を聞くことはない。尚、回線の保持により、非対応電話機（３２）を切断しても、通話中の相手との通信接続が遮断されることはなく、非対応電話機（３２）は通話を再開することが可能である。
【００４５】
そして、非対応電話機の回線切断から所定時間経過すると（Ｓ２５，Ｓ２６）、再び非対応電話機（３２）を電話回線（１０）に接続させ（Ｓ２７）、回線保持回路（３４）による回線保持を解除する（Ｓ２８）。この所定時間は、モデム信号の受信後になるように設定される。これにより、非対応電話機（３２）は通話を再開することが可能となる。
【００４６】
このように、第３の端子（４）の回線接続をモデム信号の受信期間に解放するために、この第３の端子（４）に非対応電話機（３２）を接続すれば、非対応電話機（３２）でモデム信号を聞くことはない。
【００４７】
尚、第３の実施例において、非対応電話機の回線切断の開始は、ＣＡＴの検出により行ったが、最初の着信表示音信号の検出により行ってもよい。また、非対応電話機の回線切断の終了はタイマー（３５）により行ったが、モデム信号の終了の検出や、次の着信表示音信号の検出により行ってもよい。
【００４８】
以上の如く、キャッチホンサ−ビスにおける発信電話番号表示サービスも待機時の着信と同様に、サービス情報の送出期間は特定の端子の回線接続を開放することにより、特定の端子に接続される端末による問題を解決することができる。
【００４９】
サービス情報の送出期間の設定方法には、送出の開始を極性反転，最初の着信表示音信号やＣＡＴ等により検出し、送出の終了をモデム信号の終了，受信完了信号，次の着信表示音信号等により検出して設定する方法、そして、送出の開始と所定時間のカウントにより設定する方法がある。
【００５０】
尚、上述の実施例の電話局は発呼者の電話番号の情報を送信したが、本サービスは通信前情報通知サービスとも呼ばれるとおり、発呼者の電話番号に限らず、通話前に送信される全てのサービス情報に本発明を適用することができる。
【００５１】
また、上述の実施例の被呼者の第１の端末は電話機であったが、ハンドセットやダイヤル発信機能がなく、発呼者の電話番号を表示するだけの表示装置であってもよい。
【００５２】
【発明の効果】
以上の如く、発信電話番号表示サービスに加入している回線に、発信電話番号表示サービスに対応していない電話機が接続された場合、ＣＡＲにより鳴動する等の問題を防止することができる。
【００５３】
また、一次応答信号や受信完了信号の送出タイミングが異なる対応電話機がブランチされた場合、主たる側の対応電話機に発呼者番号等の表示がなされないことを防止することができる。
【図面の簡単な説明】
【図１】本発明の第１の実施例の要部の構成を示すブロック図である。
【図２】発信電話番号表示サービスの動作を示すタイムチャートである。
【図３】発信電話番号表示サービスにおけるＣＡＲの信号波形を示す図である。
【図４】発信電話番号表示サービスにおけるＩＲの信号波形を示す図である。
【図５】第１の実施例の制御回路の動作を示すフローチャートである。
【図６】第２の実施例の要部の構成を示すブロック図である。
【図７】第３の実施例の制御回路の動作を示すフローチャートである。
【図８】キャッチホンサ−ビスにおける、発信電話番号表示サービスの動作を示すタイムチャートである。
【図９】第３の実施例の要部の構成を示すブロック図である。
【図１０】第２の実施例の制御回路の動作を示すフローチャートである。
【符号の説明】
１    電話回線接続器
２    第１の端子
３    第２の端子
４    第３の端子
５    スイッチ
６    極性反転検出手段
７    受信完了信号検出手段
８    制御回路
９    電話局
１０    電話回線
１１    第１の対応電話機
１２    第２の対応電話機
１３    非対応電話機
２１    ＣＡＲ検出手段
２２    ＩＲ検出手段
３１    対応電話機
３２    非対応電話機
３３    ＣＳＴ検出手段
３４    回線保持回路
３５    タイマー
【図１】
0003583900.tif 000002
【図２】
0003583900.tif 000003
【図３】
0003583900.tif 000004
【図４】
0003583900.tif 000005
【図５】
0003583900.tif 000006
【図６】
0003583900.tif 000007
【図７】
0003583900.tif 000008
【図８】
0003583900.tif 000009
【図９】
0003583900.tif 000010
【図１０】
0003583900.tif 000011